(57)【要約】【課題】作業者が容易かつ確実に短絡接地器具の接地線を接地端子に接続でき、一定の締付力が得られる接地用具を提供する。【解決手段】接地線Ｘを接地端子Ｙに接続する接地金具１は、接地線Ｘと電気的に接続されるＵ字形の本体２と、本体２の内方で接地端子Ｙを挟持する一対の挟持部材３，４と、本体２の挟持部材３，４と反対側の部位に設けられたハンドル５と、作業者がハンドル５を操作することによって、挟持部材３，４を、接地端子Ｙを挟持する状態と開放する状態とに変化させる連結棒６と、挟持部材３，４を挟持状態に固定するフック部材７とを備える。【選択図】図１
2008312275.tif 000002
【特許請求の範囲】
【請求項１】
短絡接地器具の接地線を接地端子に接続する接地用具であって、
前記接地線と電気的に接続されるＵ字形の本体と、
前記本体の内方で前記接地端子を挟持する挟持部と、
前記本体の前記挟持部と反対側の部位に設けられた操作部と、
前記操作部の操作に応じて、前記挟持部を、前記接地端子を挟持する状態と開放する状態とに変化させる作動機構と、
前記挟持部を挟持状態に固定する固定部材と
を備えることを特徴とする接地用具。
【請求項２】
請求項１記載の接地用具において、
前記固定部材は、前記操作部を前記本体に固定するフック部材であることを特徴とする接地用具。
【請求項３】
請求項１又は２記載の接地用具において、
前記操作部は、前記本体に支点を有するハンドルであって、
前記本体は、前記ハンドルと前記挟持部との間に貫通孔を有し、
前記作動機構は、前記ハンドル及び前記挟持部に連結されて前記貫通孔内を摺動する連結棒を備えることを特徴とする接地用具。
【請求項４】
請求項１乃至３のいずれか１項記載の接地用具において、
前記挟持部は、挟持状態における挟持幅を調整する位置調整部材を備えることを特徴とする接地用具。
【請求項５】
請求項１乃至４のいずれか１項記載の接地用具において、
前記挟持部を挟持状態又は開放状態に付勢する付勢手段を備えることを特徴とする接地用具。
【発明の詳細な説明】
【技術分野】
【０００１】
本発明は、変電所等の屋内外電気設備において、停電作業の際、作業者の安全確保のために電路を短絡接地する短絡接地器具の接地線を、アース側の接地端子に接続するための接地用具に関する。
【背景技術】
【０００２】
変電所等の屋内外電気設備において停電作業を行う時は、作業者の安全確保のために、電路を、短絡接地器具の接地線を介してアース側の接地端子等に接続している。接地線を電気機器の接地端子や接地線に接続するための接地用具としては、短絡接地器具の接地線の端部に蝶ボルトによって接地端子等を挟持可能な接地金具を設けて成るものが知られている（例えば、特許文献１参照）。かかる接地金具によれば、停電作業を行う作業者は、蝶ボルトを緩めて接地端子を、その間に挟んだ後、蝶ボルトを締め付けて接地端子を挟持させる。
【特許文献１】特開２０００−２７８８３０号公報
【発明の開示】
【発明が解決しようとする課題】
【０００３】
しかしながら、このような接地用具では、作業者の腕力によって接地端子等への締付力が異なる。締付が不十分な場合には、作業者の接地線との接触や接地線の通電時の電磁力により接地用具が接地端子等から外れる虞がある。また、接地用具の接地端子等への締付具合は、目視によって確認することが困難である。そこで、接地用具の接地端子への締付を確実なものとするため、改めて作業責任者等が再締付を行って、緩みがないことを確認しなければならず煩雑である。
【０００４】
本発明の目的は、作業者が容易かつ確実に短絡接地器具の接地線を接地端子に接続でき、一定の締付力が得られる接地用具を提供することである。
【課題を解決するための手段】
【０００５】
本発明は、短絡接地器具の接地線を接地端子に接続する接地用具であって、前記接地線と電気的に接続されるＵ字形の本体と、前記本体の内方で前記接地端子を挟持する挟持部と、前記本体の前記挟持部と反対側の部位に設けられた操作部と、前記操作部の操作に応じて、前記挟持部を、前記接地端子を挟持する状態と開放する状態とに変化させる作動機構と、前記挟持部を挟持状態に固定する固定部材とを備えることを特徴とする。
【０００６】
本発明の接地用具によれば、作業者は、操作部を操作することによって、開放した挟持部に接地端子を介在させ、挟持部に接地端子を挟持させることで、容易に短絡接地器具の接地線を接地端子に接続することができる。また、接地端子を挟持した挟持部が固定部材によって固定されるため、作業者の締付力に関係なく、一定の力で接地端子を確実に挟持させることができる。さらに、挟持部が固定部材によって固定されているか否かは、目視等によって簡易に確認することができる。
【０００７】
前記固定部材は、前記操作部を前記本体に固定するフック部材であることが好ましい。これにより、挟持部が接地端子を挟持した状態で、操作部がフック部材で固定され、挟持部を挟持状態に固定する構成を簡易に実現することができる。
【０００８】
前記操作部は、前記操作部は、前記本体に支点を有するハンドルであって、前記本体は、前記ハンドルと前記挟持部との間に貫通孔を有し、前記作動機構は、前記ハンドル及び前記挟持部に連結されて前記貫通孔内を摺動する連結棒を備えることが好ましい。かかる構成によって、ハンドルは、本体側に設けられた支点を中心に梃子の原理で容易に操作することができる。そして、ハンドルを操作することで、ハンドルに連結された連結棒が貫通孔内を摺動し、その他端側に連結された挟持部が移動する。これにより、操作部としてのハンドルによって、挟持部を挟持状態と開放状態とに変化させる機構を簡易に実現することができる。
【０００９】
前記挟持部は、挟持状態における挟持幅を調整する位置調整部材を備えることが好ましい。これにより、形状やサイズの異なる接地端子に対して、挟持幅を調整することで、形状やサイズの異なる電気機器の接地端子や接地線を容易かつ確実に挟持することができる。
【００１０】
本発明の接地用具は、前記挟持部を挟持状態又は開放状態に付勢する付勢手段を備えることが好ましい。かかる構成により、挟持部は、付勢手段によって挟持状態又は開放状態となるように付勢される。そこで、作業者は、挟持部が挟持状態となるように付勢されている場合には、挟持部を開放する操作のみを行えば、挟持部を接地端子に挟持させることができる。一方、挟持部が開放状態となるように付勢されている場合には、挟持部を挟持する操作のみを行えば、挟持部を接地端子に挟持させることができる。これにより、作業者は、挟持部を挟持又は開放する、いずれか一方のみの操作を行えばよいため、作業効率を向上させることができる。
【発明を実施するための最良の形態】
【００１１】
図１に示すように、本実施形態の接地用具としての接地金具１は、短絡接地器具Ｚの接地線Ｘをアース側の接地端子Ｙに接続するための用具であって、接地線Ｘの他端側は、例えば、短絡接地器具Ｚの絶縁棒先端に装着された短絡接地用フックＷに取付けられる。接地金具１が接続される接地端子Ｙは、例えば、電気機器の接地端子や接地線等である。
【００１２】
接地金具１は、接地線Ｘと電気的に接続されるＵ字形の本体２と、本体２の内方に設けられた第１挟持部材３及び第２挟持部材４と、本体２の第１挟持部材３と反対側の部位（本体２の外方）に設けられた操作部としてのハンドル５と、第１挟持部材３及びハンドル５に連結された連結棒６とを備える。また、接地金具１は、ハンドル５を固定する固定部材としてのフック部材７と、第１挟持部材３と本体２との間に設けられた付勢手段としてのバネ８とを備える。
【００１３】
本体２は、銅鋳物製の剛体であって相対向する一対の対向部２１ａ，２１ｂを有し、対向部２１ａには貫通孔２２が設けられ、対向部２１ｂには、貫通孔２２に対向する位置に雌ネジ孔２３が形成されている。また、本体２の端部には、ネジ具２４を介して接地線Ｘがネジ留めされ、本体２と接地線Ｘとが電気的に接続されている。
【００１４】
第１挟持部材３は、接地端子Ｙを挟持する側に凸凹が形成された銅鋳物製の板体であって、他端側が連結棒６に軸着されている。第１挟持部材３は、連結棒６に軸着されているため、連結棒６に対して、その連結角が所定範囲で可変となっている。
【００１５】
第２挟持部材４は、第１挟持部材３に対向する側に凸凹が形成された金属製の板体であって、他端側が位置調整部材としての雄ネジ４１に連結されている。雄ネジ４１は、雌ネジ２３に螺合する銅製のネジ具であって、端部に設けられた調整アーム４２を回動させることによって、第１挟持部材３に対する第２挟持部材４の位置を調整することができる。
【００１６】
また、雄ネジ４１には、調整アーム４２に隣接する位置に円盤状の指示盤４３が設けられており、指示盤４３が、対向部２１ｂの外方に取り付けられた目盛板４４の目盛を指し示すようになっている。目盛板４４の目盛は、長さを指し示すだけでなく、挟持する接地端子Ｙの種別に応じて、指示盤４３を合わせるべき位置が示されている。また、指示盤４３には所定角度を隔てて放射状に切込が設けられると共に、目盛板４４は対向部２１ｂの外方に設けられた溝部にスライド自在に取り付けられており、指示盤４３の切込に目盛板４４をスライドさせて挟込むことで、第２挟持部材４の位置を固定することができる。
【００１７】
ハンドル５は、屈折部５１を有する２つの棒体の両端を連結した枠体であって、屈折部５１を対向部２１ａの外方に当接させるようにして、連結棒６に軸着されている。ハンドル５は、屈折部５１に対して連結棒６に軸着される側と反対側の一端を把持して、対向部２１ａ側に押し下げると、屈折部５１が支点となって他端側が押し上げられる。その結果、押し上げられた他端側に連結された連結棒６が貫通孔２２に対して押し上げられる。一方、ハンドル５を対向部２１ａから離間するように押し上げると、屈折部５１を支点して他端側が押し下がり、連結棒６が貫通孔２２に対して押し下がる。
【００１８】
連結棒６は、金属製の棒体であって、ハンドル６に連結される端部が大径となっており、この部分に設けられた挿通孔を通るピンによってハンドル６と軸着されている。
【００１９】
フック部材７は、コの字形の枠体であって、その両端部が、対向部２１ａの両側壁に設けられた穴部２５に挿入されて、該両端部を中心に回転可能となっている。穴部２５は、ハンドル５の他端側（連結棒６に連結される側）に位置しており、フック部材７を回転させると、ハンドル５の他端側にフック部材７を係合し、ハンドル５が押し下がることなく固定される。
【００２０】
バネ８は、第１挟持部材３と対向部２１ａとの間に連結棒６の一部を取り巻くように設けられたコイルバネであって、第１挟持部材３を第２挟持部材４側に付勢する。そのため、バネ８の弾性力によって、ハンドル５の操作を行わない状態では、第１挟持部材３が挟持に保持され、ハンドル５は対向部２１ａ側から押し上げられている。
【００２１】
次に、上述の接地金具１の使用方法について簡単に説明する。
【００２２】
接地金具１は、停電作業時に、短絡接地器具Ｚの接地線Ｘの一端をアース側の接地端子Ｙに接続するために用いられる。具体的には、停電作業を行う作業者は、停電作業時に接地金具１をアース側の接地端子Ｙに接続した上で、停電作業を行う電路へ短絡接地器具Ｚの短絡接地用フックＷを取り付ける。
【００２３】
接地線Ｘを接地端子Ｙに接続するために、作業者は、まず、接地端子Ｙの種別を確認する。接地端子Ｙは、その種別によって形状やサイズが異なるためである。
【００２４】
そして、接地端子Ｙの種別に応じて、接地金具１の調整アーム４２を回動させて、指示盤４３を目盛板４４に示された目盛に合わせる。例えば、接地金具１を接続する接地端子Ｙの種別がＡタイプである場合には、作業者は、調整アーム４２を回動させて、指示盤４３を目盛板４４に示されたＡの位置に合わせる。
【００２５】
次いで、ハンドル５を把持して、ハンドル５を対向部２１ａ側へ押し下げ、第１挟持部材３を第２挟持部材４から離間させる。この状態で、第１挟持部材３と第２挟持部材４との間に接地端子Ｙを介在させて、ハンドル５から手を放す。ハンドル５から手を放すと、第１挟持部材３と本体２との間に設けられたバネ８の弾性力によって、第１挟持部材３が第２挟持部材４側に移動し、ハンドル５は、自動的に対向部２１ａに対して押し上げられる。
【００２６】
そして、第１挟持部材３によって接地端子Ｙが挟持されると、作業者は、ハンドル５の他端部にフック部材７を回転させて係合させる。このとき、接地端子Ｙは、挟持３と第２挟持部材４との間に一定の締付力で挟持される。
【００２７】
このように、本実施形態の接地金具１によれば、ハンドル５を操作することによって、第１挟持部材３と第２挟持部材４の間に接地端子Ｙを簡単かつ容易に挟持させることができる。また、接地端子Ｙの種別に応じて第２挟持部材４の位置を調整することで、種々の接地端子Ｙを一定の締付力で挟持することができる。また、指示盤４３の切込に目盛板４４をスライドさせて挟込むことで、第２挟持部材４の位置を任意の位置に固定することができる。さらに、挟持状態において、ハンドル５がフック部材７によって固定されるため、作業者の腕力に関係なく、一定の締付力で接地端子Ｙを確実に挟持することができる。加えて、第１挟持部材３がフック部材７によって固定されているか否かを目視によって確認することができ、接地端子Ｙが確実に挟持されているか否かを容易に確認することができる。
【００２８】
次に、図２を参照して、本実施形態の変形例を説明する。
【００２９】
この場合、接地金具１は、棒状のハンドル５が対向部２１ａの外方端部に軸着されて成る。ハンドル５には、連結棒６及びフック部材としてのタング７１が、それぞれ軸着されて連結されている。
【００３０】
また、本体２の一部には、タング７１が係合するバックル７２が埋め込まれている。バックル７２は、タング７１が挿入される挿入口７２ａと、図示しないバネの付勢力によって、挿入されたタング７１の溝部７１ａに係合する係合部７２ｂと、係合部７２ｂの係合を解除するためのスライド部材７２ｃとを備える。
【００３１】
さらに、ハンドル５と対向部２１ａとの間には、連結棒６を取り巻くようにバネ８が設けられており、ハンドル５は、その操作を行わない状態では、対向部２１ａ側から押し上げられて、第１挟持部材３と第２挟持部材４との間が離間している。
【００３２】
この接地金具１を使用する場合、作業者は、第１挟持部材３と第２挟持部材４との間に接地端子Ｙを位置させて、ハンドル５を対向部２１ａ側に押し下げる。これにより、ハンドル５と連結した連結棒６により第１挟持部材３が第２挟持部材４側に移動して、第１挟持部材３が接地端子Ｙを挟持する。このとき、ハンドル５に連結されたタング７１が、バックル７２の挿入口７２ａに挿入されて、タング７１の溝部７１ａに係合部７２ｂが係合する。これにより、ハンドル５が固定され、第１挟持部材３が接地端子Ｙを挟持した状態で固定される。
【００３３】
一方、接地端子Ｙを第１挟持部材３から開放する際には、バックル７２のスライド部材７２をスライドさせて、係合部７２の溝部７１ａへの係合を解除する。すると、ハンドル５と対向部２１ａとの間に設けられたバネ８により、ハンドル５が対向部２１ａ側から押し上げられて、第１挟持部材３が第２挟持部材４から離間し、接地端子Ｙを簡単に取り外すことができる。
【００３４】
以上、本発明の本実施形態について説明したが、本発明は、これに限定されるものではなく、例えば、ハンドルを固定する固定部材は、ハンドルと対向部との間に挟まれるハンドル止め等の部材であってもよい。
【図面の簡単な説明】
【００３５】
【図１】実施形態の短絡接地器具の接地金具を示す斜視図。
【図２】実施形態の変形例を示す斜視図。
【符号の説明】
【００３６】
１…接地金具（接地用具）、２…本体、３…第１挟持部材、４…第２挟持部材、５…ハンドル（操作部）、６…連結棒（作動機構）、７…フック部材（固定部材）、８…バネ（付勢手段）、２２…貫通孔、４１…雄ネジ（位置調整部材）、Ｘ…接地線、Ｙ…接地端子、Ｚ…短絡接地器具、Ｗ…短絡接地用フック。
【図１】
2008312275.tif 000003
【図２】
2008312275.tif 000004